(57)【特許請求の範囲】
【請求項１】
オフセット印刷機で印刷中に、全印刷ユニットを通して印刷された印刷物の色を測定して得られた該印刷物の色情報と、各印刷ユニットのインキローラ上のインキのインキ量か又は該インキに含まれる水分量のいずれかをインキローラ上にて測定して得られたインキ量又は水分量の少なくともいずれかのデータ、これらを組み合せて用いる事により印刷物の色を制御する色制御方法であって、該印刷物の色変化の原因をインキ供給量の変化によるものか、水供給量の変化によるものか、あるいはこれらいずれにも依らないものかを、設定されている判断基準に基づいて判断したうえで、色変化の原因となる色を特定し、特定した色に対して、目標値に戻るように遠隔制御装置にて、印刷機械のインキ又は水供給量の値に置き換え、置き換えられた数値に基づいて作り出したい色となるインキ又は水量を各ユニット毎に供給して色制御する事を特徴とする印刷物の色制御方法。
【請求項２】
（イ）オフセット印刷機で印刷中に全印刷ユニットを通して印刷された印刷物の色を測定する色測定手段と、
（ロ）各印刷ユニットのインキローラ上のインキのインキ量か、又は、該インキローラ上のインキに含まれる水分量の少なくともいずれかをインキローラ上にて測定するインキ量水量測定手段と、
（ハ）印刷物の色変化の原因を、インキ供給量の変化、水供給量の変化、あるいはこれら以外の原因のうちいずれかを判断する場合に、前記色測定手段で得られる色情報と、前記インキ量水量測定手段により得られる各印刷ユニットのインキ量、又は水分量の少なくともいずれかのデータと設定してある判断基準とに基づいて原因を判断する判断手段と、
（ニ）判断基準に基づいて判断した色変化の原因となる色に対して目標値に戻るように、印刷機械のインキ又は水供給量の値に置き換え、置き換えられた数値に基づいて作り出したい色となるインキ又は水量を各ユニット毎に供給して色制御する遠隔制御装置と、これら（イ）〜（ニ）の全てを具備する事を特徴とする印刷物の色制御装置。
【発明の詳細な説明】
【０００１】
【発明の属する技術分野】
この発明は、水（湿し水）を用いるオフセット印刷機におけるインキ・ 水供給量を制御する装置に関係しており、特に印刷された印刷物の色情報と各色ユニット内のインキ・水量情報により制御する装置に関係している。
【０００２】
【従来の技術】
従来の技術としては、例えば特表平８−５１１７４０号公報に示されるものがある。すなわち、印刷直後の紙面の色を計測し、その色情報より供給するインキ量を制御する装置が記載されている。
また、特公平７−９４１６７号公報に示されるものもある。すなわちインキローラ表面の任意の検出点のインキ量・水量を計測し、同検出値と予め入力されている目標値又は予め設定されている上記検出点における目標値とを比較演算し、該インキの水の供給量を制御する装置が記載されている。
【０００３】
しかしながら、上述のような印刷直後の紙面の色を計測し、供給するインキ量を制御する装置では適正な水量となるように水供給量を制御することができない問題がある。その為、水供給量変化による色の変化をインキ供給異常と誤認識してしまう問題が有る。
さらに、混色から変化した色を分離して認識する事は非常に困難であるという問題が有る。
また、インキ量・水量を計測し、その得られた情報でインキ量・水量を制御する装置では、インキ・水量と色との相関が不十分である為に最終的な色保証した上での制御ができないという問題もある。
【０００４】
【発明が解決しようとする課題】
この発明は上記事情の下でなされ、それぞれの制御を独立して使用した場合に起きる問題点を組み合せる事で、色情報だけでは解決する事のできない、適正な水供給量の制御をインキ量・水量の計測情報から行い。インキ量・水量だけでは解決できない精度の高い色制御を印刷直後の色情報を元に行う事、ただし、印刷直後の色情報において難しい色分離を解決する手段として、個々のユニットにおいてインキ量・水量変化情報により変動色分離を可能にした装置を提供する事を課題とする。
【０００５】
【課題を解決するための手段】
前記課題を解決する為に本発明が提供する手段は、オフセット印刷機で印刷中に、全印刷ユニットを通して印刷された印刷物の色を測定して得られた該印刷物の色情報と、各印刷ユニットのインキローラ上のインキのインキ量か又は該インキに含まれる水分量のいずれかをインキローラ上にて測定して得られたインキ量又は水分量の少なくともいずれかのデータ、これらを組み合せて用いる事により印刷物の色を制御する色制御方法であって、該印刷物の色変化の原因をインキ供給量の変化によるものか、水供給量の変化によるものか、あるいはこれらいずれにも依らないものかを、設定されている判断基準に基づいて判断したうえで、色変化の原因となる色を特定し、特定した色に対して、目標値に戻るように遠隔制御装置にて、印刷機械のインキ又は水供給量の値に置き換え、置き換えられた数値に基づいて作り出したい色となるインキ又は水量を各ユニット毎に供給して色制御する事を特徴とする印刷物の色制御方法である。
【０００６】
そして、（イ）オフセット印刷機で印刷中に全印刷ユニットを通して印刷された印刷物の色を測定する色測定手段と、
（ロ）各印刷ユニットのインキローラ上のインキのインキ量か、又は、該インキローラ上のインキに含まれる水分量の少なくともいずれかをインキローラ上にて測定するインキ量水量測定手段と、
（ハ）印刷物の色変化の原因を、インキ供給量の変化、水供給量の変化、あるいはこれら以外の原因のうちいずれかを判断する場合に、前記色測定手段で得られる色情報と、前記インキ量水量測定手段により得られる各印刷ユニットのインキ量、又は水分量の少なくともいずれかのデータと設定してある判断基準とに基づいて原因を判断する判断手段と、
（ニ）判断基準に基づいて判断した色変化の原因となる色に対して目標値に戻るように、印刷機械のインキ又は水供給量の値に置き換え、置き換えられた数値に基づいて作り出したい色となるインキ又は水量を各ユニット毎に供給して色制御する遠隔制御装置と、これら（イ）〜（ニ）の全てを具備する事を特徴とする印刷物の色制御装置である。
【０００７】
＜作用＞
このように構成された事を特徴としている本願の発明に従った印刷物の色制御では、従来のように色情報だけからでは巧く解決する事のできない問題点を、適正な水供給量の制御をインキ量・水量の計測情報にもとづいて制御し解決する。ただし、印刷直後の色情報において難しい色分離を解決する手段として、個々のユニットにおいてインキ量・水量変化情報を参照することにより、変動色の原因分離を可能にした。
【０００８】
このような本発明によると、印刷直後の色計測による制御だけではできなかった判断、つまり、色の変化をインキ又は水供給量変化によって生じたものか否かを見極めたうえで、もしインキに起因する場合にはインキ供給量制御を、また、もし水に起因する場合には水供給量制御を行なえば巧く制御することが出来るように、可能ならしめることが出来る。
【０００９】
さらに独立した色ユニット毎にインキ量を計測している為、混色からより簡単に色分離した形で制御する事を可能にした。
またインキ量・水量の計測情報だけでは困難であった精度の高い色制御を印刷直後の色情報を元に行う事で可能にした
【００１０】
【発明の実施の形態】
本願の装置は印刷中、各印刷ユニット（１１，１２，１３，１４）上下胴のインキ、水量をセンサー（０１，０２，０３，０４，０５，０６，０７，０８）を用いて計測する。計測した結果はインキ・水量測定部にて制御情報に必要な数値に演算処理される。さらにそこで得られた数値を統合処理部（２０）へ送る。
【００１１】
一方、同じ印刷中に印刷された結果を乾燥機（１５）、クーリング胴（１６）後に色測定センサー（１７，１８）より計測する。計測された結果は色測定部にて制御情報に必要な数値に演算処理される。インキ・水測定部（０９）と色測定部（１９）で得られた数値を統合制御処理部（２０）へ送る。
【００１２】
送られてきた数値（各ユニット毎のインキ量・水量情報、表裏別の色情報）と、予め入力されている目標値又は予め設定されている目標値とを比較演算し、変化の原因がどの色で、またインキによるものか又は水によるものかを判断し目標値に戻るように、印刷機械のインキ・水供給量の値に置き換える。置き換えられた数値を遠隔制御装置（１０）に送り、作り出したい色となるインキ・水量を各ユニット毎に供給する。
【００１３】
【発明の効果】
以上記述した事からも明らかのように、この発明に従った印刷物の色制御は適確に制御を必要とする色を把握し、また制御する対象をインキ又は水量であるかを捕え、より精度の高い色合わせ制御を行う事を可能にできた。すなわち本装置によりオペレータが色の管理から開放する事ができた。つまり本発明の目的とする印刷物の色制御を提供する事ができた。
【図面の簡単な説明】
【図１】この発明の実施形態にしたがった印刷物色制御装置（色測定とインキ水量測定を合わせた装置）の概略の斜視図である。
【符号の説明】
１・・・1 ユニット目上胴用インキ・水量測定センサー
２・・・1 ユニット目下胴用インキ・水量測定センサー
３・・・２ユニット目上胴用インキ・水量測定センサー
４・・・２ユニット目下胴用インキ・水量測定センサー
５・・・３ユニット目上胴用インキ・水量測定センサー
６・・・３ユニット目下胴用インキ・水量測定センサー
７・・・４ユニット目上胴用インキ・水量測定センサー
８・・・４ユニット目下胴用インキ・水量測定センサー
９・・・インキ・水量測定部
１０・・・インキ・水供給遠隔制御装置
１１・・・第一印刷ユニット
１２・・・第二印刷ユニット
１３・・・第三印刷ユニット
１４・・・第四印刷ユニット
１５・・・乾燥機
１６・・・クーリング胴
１７・・・上胴用色測定センサー
１８・・・下胴用色測定センサー
１９・・・色測定部
２０・・・統合制御処理部
Ａ・・・印刷巻取り用紙
【図１】
0004719947.tif 000002